(57)【特許請求の範囲】
【請求項１】
通信用ＮＦＣアンテナと、前記通信用ＮＦＣアンテナを兼用し前記通信用ＮＦＣアンテナに電磁誘導により誘起する電流に基づいて充電される充電池と、前記電磁誘導のために前記通信用ＮＦＣアンテナを充電器に案内する最短ルート移動方向を表示する案内表示部と、移動方向検知部と、電磁場検知部と、前記移動方向検知部と前記電磁場検知部の出力を継続検知して記憶蓄積する記憶蓄積部と、前記記憶蓄積部の変化履歴から移動方向と電磁場変化の相関関係を分析し前記最短ルート移動方向を判定する分析部とを有し、前記案内表示部は、前記分析部の判定に基づき前記最短ルート移動方向を表示することを特徴とするモバイル機器。
【請求項２】
前記案内表示部は、前記記憶蓄積部の記憶蓄積情報が足りないときは前記最短ルート移動方向の表示を行わずに前記移動方向検知部と前記電磁場検知部の出力を継続検知して記憶蓄積させ、前記分析が可能になった時点で前記最短ルート移動方向を表示することを特徴とする請求項１記載のモバイル機器。
【請求項３】
前記案内表示部は、前記最短ルート移動方向、または前記モバイル機器が前記充電器の上面において正しい位置決め状態にあるか否かの別を表示することを特徴とする請求項１または２記載のモバイル機器。
【請求項４】
モバイル機器機能を表示する表示手段を有し、前記案内表示部は前記表示手段であるとともに、前記案内表示部は前記表示手段における表示面の一部領域のみを利用して案内表示を行うか、または前記表示手段におけるカラー表示機能の単色のみを利用して案内表示を行うか、または前記表示手段におけるバックライト部を省電力にて利用して案内表示を行うか、または前記案内表示部による案内の際に前記モバイル機器の基準クロック周波数を低下させるか、またはこれらの少なくとも２つの組み合わせによって、前記案内表示を行うときには省電力にて案内を行うことを特徴とする請求項１から３のいずれかに記載のモバイル機器。
【請求項５】
通信用ＮＦＣアンテナと、前記通信用ＮＦＣアンテナを兼用し前記通信用ＮＦＣアンテナに電磁誘導により誘起する電流に基づいて充電される充電池と、前記電磁誘導のために前記通信用ＮＦＣアンテナを充電器に案内する案内表示部と、前記案内表示部による案内に必要な余力を残して充電不足判定を行う充電判定部と、前記充電判定部が充電不足との判定を行ったときは前記案内表示部による案内以外の操作による電力消費を禁止するとともに前記案内表示部の起動を可能とする制御部とを有することを特徴とするモバイル機器。
【請求項６】
電磁場の存在を検知したとき前記案内表示部を機能させることを特徴とする請求項１から５のいずれかに記載のモバイル機器。
【発明の詳細な説明】
【技術分野】
【０００１】
本発明は、ＮＦＣ充電可能なモバイル機器に関する。
【背景技術】
【０００２】
ＮＦＣ（ＮＥＡＲ  ＦＩＥＬＤ  ＣＯＭＭＵＩＣＡＴＩＯＮ）は、１０センチメートル程度の距離での小電力無線通信技術の国際規格であり、スマートフォンなどの小型携帯端末装置やデジタルカメラに搭載されている。ＮＦＣに関しては種々の活用がなされており、例えば特開２０１５−０７６７６２号公報には、デジタルカメラと携帯電話を近接させることによりまずＮＦＣによる接続を確立し、無線パラメータの交換を行った後、無線ＬＡＮやＢｌｕｅｔｏｏｔｈ（登録商標）等による接続を確立して画像の転送を行うことが記載されている。（特許文献１）一方、例えば特開２０１３−１９１９１３号公報では、ＮＦＣに用いられるアンテナを共用したワイヤレス充電が記載されている。（特許文献２）
【先行技術文献】
【特許文献】
【０００３】
【特許文献１】特開２０１５−０７６７６２号公報
【特許文献２】特開２０１３−１９１９１３号公報
【発明の概要】
【発明が解決しようとする課題】
【０００４】
しかしながら、ＮＦＣ充電可能なモバイル機器に関してはさらに検討すべき課題が多い。
【０００５】
本発明の課題は、上記に鑑み、より有用なＮＦＣ充電可能なモバイル機器を提案することにある。
【課題を解決するための手段】
【０００６】
上記課題を達成するため、本発明は、通信用ＮＦＣアンテナと、前記通信用ＮＦＣアンテナを兼用し前記通信用ＮＦＣアンテナに電磁誘導により誘起する電流に基づいて充電される充電池と、前記電磁誘導のために前記通信用ＮＦＣアンテナを充電器に案内する案内表示部とを有することを特徴とするモバイル機器を提供する。これによって適切な充電の実行が可能となる。
【０００７】
具体的な特徴によれば、前記案内表示部は、前記モバイル機器を前記充電器の上面を移動させる移動方向を表示する。これにより直感的な案内表示が可能となる。より具体的な特徴によれば、前記案内表示部は、前記充電器の前記上面と平行な表示面を有する。他の具体的な特徴によれば、モバイル機器は、前記案内表示部は正しい位置決め状態にあるか否かを表示する。
【０００８】
他の具体的な特徴によれば、モバイル機器はその機能を表示する表示手段を有し、前記案内表示部は前記表示手段であるとともに、前記案内表示を行うときは省電力にて案内を行う。これによって、充電不足の状態において効果的な案内表示を行うことができる。より具体的な特徴によれば、前記案内表示部は前記表示手段による表示面の一部領域のみを利用して案内表示を行う。他のより具体的な特徴によれば、前記表示手段はカラー表示機能を有するとともに、前記案内表示部は前記表示手段を単色にて利用して案内表示を行う。他のより具体的な特徴によれば、前記表示手段はバックライト部を有するとともに、前記案内表示部は前記バックライト部を省電力にて利用して案内表示を行う。他のより具体的な特徴によれば、前記表示手段は前記案内表示部による案内の際、モバイル機器の基準クロック周波数を低下させる。
【０００９】
他の具体的な特徴によれば、前記案内表示部による案内に必要な余力を残して充電不足判定を行い、前記充電不足状態では、前記表示部による案内以外の操作は禁止される。充電不足の状態において効果的な案内表示を行うことができる。
【００１０】
他の具体的な特徴によれば、前記案内表示部は、使用者が前記モバイル機器を移動させたときの電磁場の強さの変化に基づいて使用者に位置決めのための方向を案内する。より具体的な特徴によれば、前記案内表示部は、前記モバイル機器の前記充電器の上面での移動検知と電磁場の強さ検知の関係を分析し、前記電磁場が強くなる方向に前記モバイル機器が移動されるよう案内を行う。
【００１１】
他の具体的な特徴によれば、モバイル機器は、充電不足による機能休止状態において、前記案内表示部を機能させることができる。より具体的な特徴によれば、モバイル機器は、前記案内表示部を機能させるべきか否か間欠的にモニタして前記案内表示部を機能させる。他のより具体的な特徴によれば、モバイル機器は、所定時間毎に自動的に前記案内表示部を機能させる。他のより具体的な特徴によれば、モバイル機器は、前記モバイル機器が水平状態にあるとき前記案内表示部を機能させる。他のより具体的な特徴によれば、モバイル機器は、電磁場の存在を検知したとき前記案内表示部を機能させる。
【発明の効果】
【００１２】
上記のように、本発明によれば、より有用なＮＦＣ充電可能なモバイル機器が提供される。
【図面の簡単な説明】
【００１３】
【図１】本発明の実施例１の全体構成を示すブロック図である。（実施例１）
【図２】実施例１における充電／データ転送ステーショの上面図及び正面図である。
【図３】実施例１における充電／データ転送ステーションに異種のデジタルカメラが載置された場合の上面図である。
【図４】実施例１における充電／データ転送ステーションデジタルカメラが充電を目的とせず載置された場合の上面図である。
【図５】実施例１における充電／データ転送ステーション４にＩＣカードが載置された場合を説明する上面図である。
【図６】実施例１におけるパソコン制御部の動作を説明する基本フローチャートである。
【図７】本発明の実施例２の全体構成を示すブロック図である。（実施例２）
【図８】本発明の実施例３の全体構成を示すブロック図である。（実施例３）
【図９】実施例３の斜視図である。
【図１０】実施例３における充電／データ転送ステーションを異種デジタルカメラとともに示した斜視図である。
【図１１】実施例３とＩＣカードの関係を説明する斜視図である
【図１２】実施例３におけるパソコン制御部の動作を説明する基本フローチャートである。
【図１３】本発明の実施例４の斜視図である。（実施例４）
【図１４】実施例４におけるＩＣカード幅よりも広い切り欠き孔を有するアダプタの側断面図である。
【図１５】本発明の実施例５の斜視図である（実施例５）
【図１６】本発明の実施例６における充電／データ転送ステーション２０４およびデジタルカメラの上面図である。（実施例６）
【図１７】実施例６の全体構成を示すブロック図である。
【図１８】実施例６におけるカメラ制御部の動作を説明する基本フローチャートである。
【図１９】図１８のステップＳ１０６の詳細を示すフローチャートである。
【発明を実施するための形態】
【実施例１】
【００１４】
図１は、本発明の実施の形態に係る充電システムにおける実施例１の全体構成を示すブロック図である。図1の充電システムは、デジタルカメラ２、充電器となる充電／データ転送ステーション４、およびパソコン６、を含み、パソコン６にＵＳＢケーブル８で接続された充電／データ転送ステーション４からＮＦＣにより充電対象であるデジタルカメラ２を充電する。なお、図１には、充電／データ転送ステーション４との間でＮＦＣによる通信が可能なＩＣカードを図示している。充電システムとの関係は後述する。
【００１５】
充電対象のデジタルカメラ２は、カメラ制御部１２により制御されるカメラ機能部１４およびカメラ記憶部を有する。カメラ機能部１４は光学系、撮像部、画像処理部、表示部、操作部などデジタルカメラの機能をまとめたものである。また、カメラ記憶部１６は、カメラ制御部１２の機能に必要なプログラム、データなどを記憶するとともに、カメラ機能部１４により得られた画像データを記憶する。電源部１８は、充電方式の電池（以下、充電池２０）を有するとともに、デジタルカメラ各部に給電する。
【００１６】
デジタルカメラ２は、デジタルカメラ短距離通信アンテナ２２を有し、制御部１２の制御により充電／データ転送ステーション４と通信する。なお、デジタルカメラ短距離通信アンテナ２２は、他の機器（例えばパソコン６と直接）とも通信することができる。本明細書では、「短距離通信」という用語は、無線ＬＡＮやＢｌｕｅｔｏｏｔｈ（登録商標）等による数１０メートル程度の短距離内における通信を意味することとする。このような短距離通信における通信圏内には複数の通信可能な機器が存在する可能性がある。
【００１７】
デジタルカメラ２は、また、その底面に配置されたデジタルカメラＮＦＣアンテナ２４を有し、制御部１２の制御により充電／データ転送ステーション４と通信する。デジタルカメラＮＦＣアンテナ２４は、扁平なアンテナコイルである。また、デジタルカメラＮＦＣアンテナ２４は、１０センチメートル程度の距離を通信圏とするので、通信圏内に入るのはデジタルカメラ２に近接する単一の機器である。デジタルカメラＮＦＣアンテナ２４はこのように本来通信アンテナであり、例えば、デジタルカメラＮＦＣアンテナ２４の通信圏内に単一の機器が入ることによりまずその特定の機器と通信を確立し、その後、その特定の機器との間でデジタルカメラ短距離通信アンテナ２２により大容量の画像データのやり取りをする等の機能を担う。
【００１８】
実施例１では、上記のようなジタルカメラＮＦＣアンテナ２４を無接点充電に兼用する。つまり、近接する給電用の外部機器による電磁場変化でデジタルカメラＮＦＣアンテナ２４に誘起される電流で充電池２０を充電するようにする。なお、充電池２０は通常の充電端子２６によっても有接点で外部から充電できる。
【００１９】
充電／データ転送ステーション４は、デジタルカメラ２におけるデジタルカメラＮＦＣアンテナ２４が配置された面が接する充電面を有し、この充電面の下で移動式ＮＦＣアンテナ／ＩＣ２８が移動する。これによって、異種のデジタルカメラにおいてデジタルカメラＮＦＣアンテナ２４が配置される位置が異なっていても移動式ＮＦＣアンテナ／ＩＣ２８をデジタルカメラＮＦＣアンテナ２４に対応する位置に移動させ、効率的に充電を行うことができる。移動式ＮＦＣアンテナ／ＩＣ２８におけるＮＦＣアンテナも扁平なアンテナコイルであり、デジタルカメラＮＦＣアンテナ２４に対応する位置に移動させられたとき両者の扁平なアンテナコイルは平行に近接し、良好な電磁誘導が実現する。上記の位置合わせの目的のため、アンテナ制御部３０は移動式ＮＦＣアンテナ／ＩＣ２８の電流をモニタし、これに基づいてアンテナ駆動機構３２を制御する。アンテナ駆動機構３２は後述のようにＸ−Ｙの二次元方向に移動式ＮＦＣアンテナ／ＩＣ２８を移動させることができる。
【００２０】
充電制御部３４は、パソコン６からの給電に基づく電源部３６からの電力により、上記のような移動式ＮＦＣアンテナ／ＩＣ２８に電磁誘導のための給電電流を供給する。なお、充電制御部３４は、デジタルカメラ２が充電用正規位置にないと判断されるとき、または充電用正規位置にあるのが電磁場発生で破損する恐れのあるＩＣカード１０であると判断されるとき、電磁誘導のための給電電流供給を禁止する。近接センサ３８は、この目的のため、充電／データ転送ステーション４の充電面にある機器が充電用正規位置にあるかどうか、また、機器が充電用正規位置に置かれたとしてもそれがＩＣカード１０でないかどうかを検知する。その詳細は後述する。
【００２１】
上記のようにして、デジタルカメラ２が充電用正規位置にないと判断されるとき、または充電用正規位置にあるのがＩＣカード１０であると判断されるとき、移動式ＮＦＣアンテナ／ＩＣ２８はこれらの機器と本来の通信を行う。なお、移動式ＮＦＣアンテナ／ＩＣ２８がデジタルカメラＮＦＣアンテナ２４に対応する位置になくても通信は可能なので、給電電流供給を禁止するときは移動式ＮＦＣアンテナ／ＩＣ２８を移動させない。
【００２２】
充電／データ転送ステーション４における短距離通信アンテナ／ＩＣ４０は、デジタルカメラ短距離通信アンテナ２２との間で大容量の画像データのやり取りをする。また、充電／データ転送ステーション４における表示部４２は、充電の有無、開始、完了ならびにデータ転送の有無、開始、完了等を表示する。
【００２３】
ＩＣカード１０には、パソコン６との間の認証やデータ通信等のためのカード機能部４４および、移動式ＮＦＣアンテナ／ＩＣ２８または他のデータリーダ／ライタとの間でデータやり取りを行うカードＮＦＣアンテナ４６を有する。
【００２４】
パソコン６は、上記のような充電／データ転送ステーション４の機能の制御のためのパソコン制御部４８を有する。パソコン記憶部５０は、パソコン制御部５０の機能に必要なプログラム、データなどを記憶するとともに、デジタルカメラから転送された画像データ等を記憶する。電源部５２は、充電／データ転送ステーション４の電源部３６に給電する。ＵＳＢケーブル８は、上記のようなパソコン制御部４８による充電／データ転送ステーション４の機能の制御のための制御情報のやり取り、および充電／データ転送ステーション４の電源部３６への給電のため、充電／データ転送ステーション４とパソコン６を接続する。なお、図１に図示された接続ラインは各構成要素の関連を模式的に示したものであり、実際のＵＳＢケーブルの構造を示すものではない。充電／データ転送ステーション４とパソコン６との間の実際の制御信号および電力は通常のＵＳＢケーブルの規格に従ったケーブル構造によって行われる。
【００２５】
図２は、図１の実施例１における充電／データ転送ステーション４の上面図及び正面図で、図１と同じ部分には同じ番号を付す。図２（Ａ）は上面図であり、充電／データ転送ステーション４の充電面４ａにデジタルカメラ２（一点鎖線）が載置されている状態を示す。デジタルカメラ２はその底面形状が図示されている。充電面４ａには充電用正規位置のためのＬ字型の位置決めストッパー５４が設けられており、図２（Ａ）の状態ではデジタルカメラ２が位置決めストッパー５４に押し当てられた充電用正規位置で充電／データ転送ステーション４に載置されている。近接センサ３８は、図２（Ａ）に示すように正規位置検知用センサ３８ａ、カード検知用センサ３８ｂおよび誤方向検知センサ３８ｃからなり、それぞれ光学式近接センサで構成される。
【００２６】
図２（Ａ）のようにデジタルカメラ２が位置決めストッパー５４に押し当てられた充電用正規位置にあると、デジタルカメラ２の底面が正規位置検知用センサ３８ａおよび誤方向検知センサ３８ｃを覆うので、その出力により充電用正規位置へのセットが検知できる。一方、カード検知用センサ３８ｂは通常面積のデジタルカメラ底面には覆われない位置にあるので、セットされているのがデジタルカメラであることが確認される。このようにして正規位置検知用センサ３８ａ、カード検知用センサ３８ｂおよび誤方向検知センサ３８ｃの出力の組み合わせによりデジタルカメラが充電用正規位置にセットされていることが検知される。
【００２７】
なお、図２（Ａ）においてデジタルカメラ２が９０度回転させた状態で位置決めストッパー５４に押し当てられた場合、デジタルカメラ２の底面は正規位置検知用センサ３８ａおよびカード検知用センサ３８ｂを覆い、誤方向検知センサ３８ｃを覆わない状態となる。この場合は、表示部４２において「カメラを９０度回転させてストッパーに押し当ててください」等のメッセージを表示し、これに従って充電用正規位置へのセットが行われるまでは、充電のための機能をスタートさせない。
【００２８】
次に、移動式ＮＦＣアンテナ／ＩＣ２８をデジタルカメラＮＦＣアンテナ２４に対応する位置まで移動させるためのアンテナ駆動機構３２について説明する。アンテナ駆動機構３２は、図２（Ａ）のようにＸ方向の固定レール３８ａ、この固定レール３８ａ上を図２（Ａ）紙面で左右方向に平行移動するＹ方向の可動レール３８ｂ、およびこの可動レール３８ｂの上を図２（Ａ）紙面で左右方向に平行移動する遊動子３２ｃを有する。なお、煩雑のため図示を省略しているが、固定レール３８ａに対して可動レール３８ｂを動かす駆動源、および可動レール３８ｂに対して遊動子３２ｃを動かす駆動源がそれぞれ可動レール３８ｂおよび遊動子３２ｃに設けられている。これらの駆動源は例えばマイクロモータである。移動式ＮＦＣアンテナ／ＩＣ２８は遊動子３２ｃに搭載されているので充電面４ａに平行に自由に二次元移動が可能であり、移動式ＮＦＣアンテナ／ＩＣ２８とデジタルカメラＮＦＣアンテナ２４の相対関係を検知するアンテナ制御部３０の出力に基づき移動式ＮＦＣアンテナ／ＩＣ２８をデジタルカメラＮＦＣアンテナ２４に対応する位置で静止させることができる。
【００２９】
なお、正規位置検知用センサ３８ａ、カード検知用センサ３８ｂおよび誤方向検知センサ３８ｃの出力の組み合わせによりデジタルカメラが充電用正規位置にセットされていることが検知されると、無駄な移動を避けるため、移動式ＮＦＣアンテナ／ＩＣ２８は、通信用位置から充電用初期位置までまず移動させられる。ここで通信用位置とは、例えば、充電面４ａの中央であり、充電用初期位置とは、例えば、種々のデジタルカメラにおけるデジタルカメラＮＦＣアンテナ２４の平均的な位置である。
【００３０】
図２（Ｂ）は、充電／データ転送ステーション４の正面図であり、デジタルカメラ２と
位置決めストッパー５４の関係、デジタルカメラ２およびデジタル充電／データ転送ステーション４の内部構造の上下方向の位置関係が明らかである。また、固定レール３８ａにまたがって可動レール３８ｂが図２（Ｂ）紙面で左右方向に平行移動すること、また、可動レール３８ｂにまたがって遊動子３２ｃが図２（Ｂ）紙面に垂直な方向に平行移動することが明らかである。
【００３１】
図３は、図１の実施例１における充電／データ転送ステーション４の上面図であり、異種のデジタルカメラが充電／データ転送ステーション４に載置された場合について説明している。図２と同じ構成に同じ番号を付し、必要のない限り説明を省略する。図３（Ａ）は、図２（Ａ）と基本的に同じものであるが、移動式ＮＦＣアンテナ／ＩＣ２８が充電用初期位置まで移動させられた状態を示す。移動式ＮＦＣアンテナ／ＩＣ２８は、図２（Ａ）に示す充電用初期位置からさらに矢印５６で示すようにデジタルカメラＮＦＣアンテナ２４に対応する位置まで移動させられる。なお、簡単のため、この移動を行うためのアンテナ駆動機構３２の図示は省略している。
【００３２】
図３（Ｂ）は、異種のデジタルカメラ５８が充電／データ転送ステーション４に載置された場合を示す。この異種のデジタルカメラ５８は外形寸法が異なるとともにデジタルカメラＮＦＣアンテナ６０の配置も異なっている。しかしながら、図３（Ａ）と同様にして、正規位置検知用センサ３８ａおよび誤方向検知センサ３８ｃがデジタルカメラ５８の底面で覆われるとともにカード検知用センサ３８ｂが覆われていないので、セットされているのがデジタルカメラであることが確認され、電磁誘導のための給電電流供給が行われる。また、移動式ＮＦＣアンテナ／ＩＣ２８は、図３（Ａ）と同様にして、充電用初期位置から矢印６２で示すようにデジタルカメラＮＦＣアンテナ６０に対応する位置まで移動させられる。
【００３３】
図４は、図１の実施例１における充電／データ転送ステーション４の上面図であり、デジタルカメラ２が充電を目的とせずに充電／データ転送ステーション４に載置された場合について説明している。図２と同じ構成に同じ番号を付し、必要のない限り説明を省略する。図４（Ａ）は、図２（Ａ）と基本的に同じものであるが、デジタルカメラ２が、位置決めストッパー５４に押し当てられていない。この結果、正規位置検知用センサ３８ａ、カード検知用センサ３８ｂおよび誤方向検知センサ３８ｃがデジタルカメラ２の底面で覆われない。このような状態では、正規位置検知用センサ３８ａ、カード検知用センサ３８ｂおよび誤方向検知センサ３８ｃの出力の組み合わせにより、充電／データ転送ステーション４に載置された機器が充電を目標とするものではないと判断される。この結果、移動式ＮＦＣアンテナ／ＩＣ２８は、載置された機器にかかわらず同じ通信用位置に留め置かれるとともに、電磁誘導のための給電電流供給が禁止される。そしてＮＦＣによるデータ転送のみが行われる。
【００３４】
図４（Ｂ）もデジタルカメラ２が位置決めストッパー５４に押し当てられていない状態であるが、図４（Ａ）とは異なる向きで充電／データ転送ステーション４に載置されている。  図４（Ｂ）の場合は、正規位置検知用センサ３８ａがデジタルカメラ２に覆われず、カード検知用センサ３８ｂおよび誤方向検知センサ３８ｃがデジタルカメラ２に覆われている。このような状態でも、正規位置検知用センサ３８ａ、カード検知用センサ３８ｂおよび誤方向検知センサ３８ｃの出力の組み合わせにより、充電／データ転送ステーション４に載置された機器が充電を目標とするものではないと判断される。この結果、図４（Ａ）と同様にして、移動式ＮＦＣアンテナ／ＩＣ２８は通信用位置に留め置かれるとともに、電磁誘導のための給電電流供給が禁止される。そしてＮＦＣによるデータ転送のみが行われる。
【００３５】
図４から明らかなように、正規位置検知用センサ３８ａが覆われない限り、充電／データ転送ステーション４に載置された機器が充電を目標とするものではないと判断され、移動式ＮＦＣアンテナ／ＩＣ２８は、載置された機器にかかわらず同じ通信用位置に留め置かれるとともに、電磁誘導のための給電電流供給が禁止される。そしてＮＦＣによるデータ転送のみが行われる。このように、データ転送を目的とする限り、デジタルカメラを充電／データ転送ステーション４に載置する位置および方向はフリーである。ＮＦＣによるデータ転送に関しては、機器が充電／データ転送ステーション４に載置される限り、通信用位置に留め置かれ移動式ＮＦＣアンテナ／ＩＣ２８の通信圏内にあるので、機器の検知および情報交換は可能であり、移動式ＮＦＣアンテナ／ＩＣ２８を移動させず充電／データ転送ステーション４の中央に留め置くのが合理的である。
【００３６】
図５は、図１の実施例１における充電／データ転送ステーション４の上面図であり、ＩＣカードが誤って位置決めストッパー５４に押し当てられた状態で充電／データ転送ステーション４に載置された場合について説明している。図２と同じ構成に同じ番号を付し、必要のない限り説明を省略する。図５（Ａ）は、図３（Ａ）と同じものである。
【００３７】
これに対し、図５（Ｂ）は、ＩＣカード１０が位置決めストッパー５４に押し当てられた状態で充電／データ転送ステーション４に載置さている。この場合、正規位置検知用センサ３８ａおよび誤方向検知センサ３８ｃがＩＣカード１０に覆われてしまうが、ＩＣカードは幅が広いので同時にカード検知用センサ３８ｂを覆う。従って、正規位置検知用センサ３８ａ、カード検知用センサ３８ｂおよび誤方向検知センサ３８ｃの出力の組み合わせにより、充電／データ転送ステーション４に載置された機器がＩＣカード１０であると判断される。この結果、図４（Ａ）等と同様にして、移動式ＮＦＣアンテナ／ＩＣ２８は通信用位置に留め置かれるとともに、電磁誘導のための給電電流供給が禁止される。そしてＮＦＣによるデータ転送のみが行われる。カードＮＦＣアンテナ４６は通信用位置に留め置かれた移動式ＮＦＣアンテナ／ＩＣ２８の通信圏内にあるので、ＩＣカードの検知および情報交換は可能である。なお、ＩＣカードが図４のような状態に置かれた場合も同様の結果となる。
【００３８】
図６は、上記実施例１におけるパソコン制御部４８の動作を説明する基本フローチャートである。なお、パソコン６は種々の機能を実行するが、図６のフローは充電／データ転送ステーション４に載置される機器に関する充電と通信に関する部分だけを抽出したものである。従って、実際のパソコン６のフローは図示されていない種々の機能を達成する。図６のフローは、パソコン電源部５２の電源が投入されることによりスタートし、ステップＳ２で立上処理を行ってステップＳ４に移行する。
【００３９】
ステップＳ４では、移動式ＮＦＣアンテナ／ＩＣ２８を通信用位置にセットし、ステップＳ６に進んで、移動式ＮＦＣアンテナ／ＩＣ２８の通信圏内に他の機器があるか否かチェックする。該当機器があればステップＳ８に進み、該当機器とのＮＦＣ通信が確立したか否かチェックする。そして通信が確立すればステップＳ１０に進み、所定のＮＦＣ通信ができたか否かおよびＮＦＣ通信による認証によって短距離通信に進むべき対象機種である旨の認証ができたか否かをチェックし、所定のＮＦＣ通信および上記の認証ができればステップＳ１２に進む。ステップＳ１２では、認証した該当機器との間の短距離通信が確立したか否かチェックし、確立していればステップＳＳ１４に進んで所定の短距離通信（例えば画像データ転送）を開始する処理を行ってステップＳ１６に移行する。
【００４０】
一方、ステップＳ８において該当機器とのＮＦＣ通信の確立ができないとき、またはステップＳ１０において所定のＮＦＣ通信およびＮＦＣ通信による該当機器の認証ができないとき、またはステップＳ１２において認証した該当機器との間の短距離通信の確立が確認できないときは、いずれも、直ちにステップＳ１６に移行する。なお、ステップＳ１２から直接ステップＳ１６に移行した場合は、所定のＮＦＣ通信またはＮＦＣ通信機器としての認証は行われている。
【００４１】
ステップＳ１６では、ＮＦＣ通信が確立した機器が充電用正規位置にあるか否かが近接センサ３８の出力により判断される。機器が充電用正規位置にあればステップＳ１８に進み、ＮＦＣ通信によって、その機器が充電可能機器か否かチェックする。そして、充電可能機器であれば、移動式ＮＦＣアンテナ／ＩＣ２８をまず通信用位置から充電用初期位置まで移動させ、次いで、アンテナ制御部の情報に基づき、充電のための最適位置（移動式ＮＦＣアンテナ／ＩＣ２８がデジタルカメラＮＦＣアンテナ２４に対応する位置にあってもっとも強い電磁誘導が得られる状態）のサーチを開始する。このサーチはトライアルアンドエラーによる。
【００４２】
ステップＳ２２では、充電最適位置が確定したか否かチェックし、確定するまでトライアルエラーを繰り返す。ステップＳ２２で充電最適位置が確定するとステップＳ２４に移行し、充電制御部３４から移動式ＮＦＣアンテナ／ＩＣ２８に電磁誘導のための給電電流を供給開始する処理を行ってステップＳ２６に移行する。
【００４３】
ステップＳ２６では、充電が完了したか否かチェックし、充電するまでステップＳ２６を繰り返す。なお、この繰り返しの間において何らかのタスクが発生すれば、随時割り込みがかかり、ステップＳ２２の繰り返しから抜けてそのタスクを実行するとともに、他にタスクがなくなればステップＳ２６に戻る。そしてステップＳ２６で充電完了が確認されるとステップＳ２８に移行する。実際には、パソコン制御部４８の全体フローの中で定期的にステップＳ２２のチェックを入れ、充電完了でなければ全体フローを継続するとともに、充電完了が確認されるとステップＳ２８に移行することになる。
【００４４】
ステップＳ２８では、移動式ＮＦＣアンテナ／ＩＣ２８を通信用位置に戻し、ステップＳ３０に進む。なお、ステップＳ１６で機器が充電用正規位置にあることが確認されないとき、またはステップＳ１８で機器が充電可能機器であることが確認されないときは直ちにステップＳ３０に移行する。これによって、機器が充電用正規位置にあることが確認されないときは、電磁誘導のための給電電流供給が禁止される。
【００４５】
ステップＳ３０では、ＮＦＣ通信または短距離通信による通信中か否かチェックする。そして通信中であればステップＳ１６に戻り、以下ステップＳ３０で通信中でなくなったことが確認されるまでステップＳ１６からステップＳ３０を繰り返す。これは、当初充電を意図せずに充電／データ転送ステーション４に載置された機器がユーザの意思により充電用正規位置にセットしなおされたとき充電処理に入るためである。
【００４６】
ステップＳ３０で通信中でないことが確認されるとステップＳ３２に移行する。なお、ステップＳ６でＮＦＣ圏内に機器がないとき（すなわち、機器が充電／データ転送ステーション４に載置されていないとき）は、直ちにステップＳ３２に移行する。ステップＳ３２では、パソコン６に電源が供給中であるか否かチェックする。電源供給中であれば、ステップＳ４に戻り、以下ステップＳ３２で電源供給がなくなることが確認されない限り、ステップＳ２からステップＳ３２を繰り返し、新たに機器が充電／データ転送ステーション４に載置されるのに対応すべく待機する。一方、ステップＳ３２で電源供給がなくなることが確認されるとフローを終了する。
【実施例２】
【００４７】
図７は、本発明の実施の形態に係る充電システムにおける実施例２の全体構成を示すブロック図である。実施例２は、実施例１と共通するところが多いので、対応する部分には同じ番号を付し、必要のない限り説明を省略する。図７に示す実施例２が図１に示す実施例１と異なるのは、充電／データ転送ステーション１０４自身がステーション制御部１４８およびＡＣアダプタ１５３からの給電に基づくステーション電源部１５２を持つ点である。従って、実施例１におけるパソコン製著部４８の機能は、実施例２ではステーション制御部１４８が担当する。換言すれば、図６で説明したフローは実施例２ではステーション制御部１４５が実行する。
【００４８】
また、図７の実施例２では、充電／データ転送ステーション１０４とパソコン１０６との間の画像データ転送等の通信は、充電／データ転送ステーション１０４の短距離通信アンテナ／ＩＣ４０とパソコン１０６の短距離通信アンテナ１４０による短距離通信によって行われる。また、デジタルカメラ２とパソコン１０６の間の画像データ通信は、デジタルカメラ２の認証が充電／データ転送ステーション１０４のＮＦＣ通信で行われた後、デジタルカメラ短距離通信アンテナ２２とパソコン１０６の短距離通信アンテナ１４０との間で直接行ってもよい。
【実施例３】
【００４９】
図８は、本発明の実施の形態に係る充電システムにおける実施例３の全体構成を示すブロック図である。実施例３は、実施例１と共通するところが多いので、対応する部分には同じ番号を付し、必要のない限り説明を省略する。図８に示す実施例２が図１に示す実施例１と異なるのは、異種のデジタルカメラにおいてデジタルカメラＮＦＣアンテナが配置される位置が互いに異なっていることへの対策、およびＩＣカード１０が電磁場発生で破損する恐れのあることへの対策を、充電／データ転送ステーション２０４へのアダプタの提供、およびアダプタ取付／挿入検知部２３８の設置によって行うようにした点である。
【００５０】
具体的には、図８の実施例３では、デジタルカメラ毎に専用のアダプタを交換可能にそれぞれ用意し、このアダプタによって、いずれのデジタルカメラでも、そのデジタルカメラＮＦＣアンテナが常に固定式ＮＦＣアンテナ／ＩＣに対応する位置に来るよう誘導する。これによって、実施例３の充電／データ転送ステーション２０４では、固定式ＮＦＣアンテナ／ＩＣ２２８を採用しており、実施例１におけるようなアンテナ駆動機構およびその制御部は不要である。さらに、後述のようにアダプタは、その形状によってＩＣカード１０のカードＮＦＣアンテナ４６が電磁場発生の大きい部位に近づかないようにする。アダプタの詳細は後述する。また、図８の実施例３におけるパソコン制御部２４８は、アダプタ取付／挿入検知部２３８の検知出力を受け、上記のようなアダプタが取り付けられておらずＩＣカード１０が接近する可能性があるとき固定式ＮＦＣアンテナ／ＩＣ２２８に対する電磁誘導のための給電電流供給を禁止する。また、パソコン制御部２４８は、アダプタ取付／挿入検知部２３８の検知出力を受け、アダプタが取付けられた充電／データ転送ステーション２０４にデジタルカメラが挿入されると、固定式ＮＦＣアンテナ／ＩＣ２２８に対する電磁誘導のための給電電流の供給を行う。
【００５１】
図９は、実施例３における充電／データ転送ステーション２０４、デジタルカメラ２０２およびデジタルカメラ２０２専用のアダプタ２５４の斜視図である。図９（Ａ）は、充電／データ転送ステーション２０４からアダプタ２５４が取り外されている状態を示す。アダプタ２５４には、デジタルカメラ２０２がちょうど嵌まり込む大きさの貫通孔２４５ａが設けられている。また、アダプタ２５４は、貫通孔２４５ａ内に電磁誘導を阻害するような異物が入っていないか確認できるよう透明材料で成型されている。さらに、貫通孔２４５ａは底が抜けているので、万一異物が入っても容易にこれを掃き出すことができる。
【００５２】
図９（Ａ）のようにアダプタ２５４が取り外されている状態では、図４に示す実施例１と同様にして、機器を任意の位置および向きで充電／データ転送ステーション２０４に載置することができる。また、図９（Ａ）の状態では、アダプタ取付／挿入検知部２３８によりアダプタ２５４が取り付けられていないことが検知されるので、固定式ＮＦＣアンテナ／ＩＣ２２８に対する電磁誘導のための給電電流供給が禁止される。
【００５３】
図９（Ｂ）は、充電／データ転送ステーション２０４にアダプタ２５４を取り付けるとともにデジタルカメラ２０２を挿入した状態を示す。このようにアダプタ２５４を充電／データ転送ステーション２０４に取り付けたものはデジタルカメラ２０２専用のクレードル型充電器となる。取り付けのためには、平面ファスナーや嵌め込み構造等、任意の取り付け構造が採用できる。なお、取り付け時の位置決めを容易とするため、取り付け構造が貼り付け方式の場合は、図９（Ｂ）に示すように、充電／データ転送ステーション２０４とアダプタ２５４の前後左右側面は同一形状となっている。従って、両者の前後左右側面が全て面一となるように両者を結合すると、貫通孔２４５ａと固定式ＮＦＣアンテナ／ＩＣ２２８の関係が適切に位置決めされる。取り付けが行われると、充電／データ転送ステーション２０４の上面が貫通孔２４５ａの底となってデジタルカメラ挿入部を形成する。デジタルカメラ２０２の底部にはデジタルカメラＮＦＣアンテナ２２４が配置されているが、デジタルカメラ２０２が貫通孔２４５ａに案内されることで充電／データ転送ステーション２０４の上面に配置された固定式ＮＦＣアンテナ／ＩＣ２２８に対応する位置に導かれる。
【００５４】
図９（Ｂ）の状態になると、アダプタ取付／挿入検知部２３８はまず、アダプタ２５４が充電／データ転送ステーション２０４に取り付けられていることを検知し、電磁誘導のための給電電流を供給する条件とする。さらに、図９（Ｂ）のように貫通孔２４５ａにデジタルカメラ２０２が挿入されると、アダプタ取付／挿入検知部２３８はこれを検知し、電磁誘導のための給電電流を可能とする。
【００５５】
図１０は、実施例３における充電／データ転送ステーション２０４、異種デジタルカメラ２５８および異種デジタルカメラ２５８専用のアダプタ２５５の斜視図である。図１０（Ａ）および図１０（Ｂ）はそれぞれ図９（Ａ）および図９（Ｂ）に対応する。図１０のアダプタ２５５においても、異種デジタルカメラ２５８がちょうど嵌まり込む大きさの貫通孔２５５ａが設けられている。また貫通孔２５５ａの位置は、アダプタ２５５の前後左右側面を基準として決められており、異種デジタルカメラ２５８の底部に配置されたデジタルカメラＮＦＣアンテナ２６０が貫通孔２５５ａに案内されることで充電／データ転送ステーション２０４の上面に配置された固定式ＮＦＣアンテナ／ＩＣ２２８に対応する位置に導かれるようになっている。このように、デジタルカメラ毎に専用のアダプタを設けることで、デジタルカメラにかかわらず、デジタルカメラＮＦＣアンテナを充電／データ転送ステーション２０４の固定式ＮＦＣアンテナ／ＩＣ２２８に対応する位置に導くことができる。
【００５６】
図１１は、実施例３における充電／データ転送ステーション２０４、デジタルカメラ２０２、デジタルカメラ２０２専用のアダプタ２５４およびＩＣカード１０の斜視図である。図１１は、図９（Ｂ）と同様のものであるが、デジタルカメラ２０２を挿入する前の状態を示す。アダプタ２５４はデジタルカメラ２０２専用のものであるから、当然ながら、図１１（Ａ）の状態から図９（Ｂ）の状態にデジタルカメラ２０２を挿入することができる。
【００５７】
これに対し、図１１（Ｂ）は、ＩＣカード１０が誤って通孔２５４ａに挿入されようとしている状態を示す。しかしながら、ＩＣカード１０の幅は、通孔２５４ａの幅よりも広いので挿入ができない。図１１（Ｂ）の状態は、アダプタ２５４が充電／データ転送ステーション２０４が結合されているので、電磁誘導のための給電電流を供給する条件の一つが満たされているが、ＩＣカード１０が挿入できないので、電磁誘導によりＩＣカード１０が破壊されることはない。
【００５８】
なお、デジタルカメラ２０２は比較的幅の狭いものであるが、図１０の異種デジタルカメラ２５８のように幅が広い場合、これに対応してアダプタ２５５の通孔２５５ａの幅も広い。従って、ＩＣカード１０が誤って挿入される可能性がある。しかしながら、万一挿入が可能であっても図１１（Ｂ）からわかるように、ＩＣカード１０はカードＮＦＣアンテナのアンテナコイルの向きが、充電／データ転送ステーション２０４の固定式ＮＦＣアンテナ／ＩＣのアンテナコイルと平行となる状態では挿入できない。このように、充電／データ転送ステーションに結合されるアダプタは、ＩＣカードＮＦＣアンテナのアンテナコイルが充電／データ転送ステーションの固定式ＮＦＣアンテナ／ＩＣのアンテナコイルと平行な状態で近接することを防止し、強い電磁誘導が生じないようにする観点からも有用なものである。
【００５９】
図１２は、上記実施例３におけるパソコン制御部２４８の動作を説明する基本フローチャートである。図６と同様にして、充電／データ転送ステーション２０４に載置される機器に関する充電と通信に関する部分だけを抽出したものである。図１２のフローも、パソコン電源部５２の電源が投入されることによりスタートし、ステップＳ4２で立上処理を行ってステップＳ４4に移行する。
【００６０】
ステップＳ４４では、固定式ＮＦＣアンテナ／ＩＣ２２８の通信圏内に他の機器があるか否かチェックする。該当機器があればステップＳ４６に進み、該当機器とのＮＦＣ通信が確立したか否かチェックする。そして通信が確立すればステップＳ４８に進み、所定のＮＦＣ通信ができたか否かおよびＮＦＣ通信による認証によって短距離通信に進むべき対象機種である旨の認証ができたか否かをチェックし、所定のＮＦＣ通信および上記の認証ができればステップＳ５０に進む。ステップＳ５０では、認証した該当機器との間の短距離通信が確立したか否かチェックし、確立していればステップＳＳ５２に進んで所定の短距離通信を開始する処理を行ってステップＳ５４に移行する。
【００６１】
一方、ステップＳ４６において該当機器とのＮＦＣ通信の確立ができないとき、またはステップＳ４８において所定のＮＦＣ通信およびＮＦＣ通信による該当機器の認証ができないとき、またはステップＳ５０において認証した該当機器との間の短距離通信の確立が確認できないときは、いずれも、直ちにステップＳ５４に移行する。なお、ステップＳ５０から直接ステップＳ５４に移行した場合は、所定のＮＦＣ通信またはＮＦＣ通信機器としての認証は行われている。
【００６２】
ステップＳ５４では、アダプタ取付／挿入検知部２３８の検知信号に基づきアダプタが充電／データ転送ステーション２０４に取り付けられているか否かチェックする。アダプタが取り付けられていればステップＳ５６に進み、機器がアダプタの貫通孔に挿入されているか否かチェックする。そしてアダプタ取付／挿入検知部２３８の検知信号に基づき機器の挿入が検知されるとステップＳ５８に進み、充電制御部３４から固定式ＮＦＣアンテナ／ＩＣ２２８に電磁誘導のための給電電流を供給開始する処理を行ってステップＳ６０に移行する。
【００６３】
ステップＳ６０では、充電が完了したか否かチェックし、充電するまでステップＳ６０を繰り返す。ステップＳ６０で充電完了が確認されるとステップＳ６２に移行する。なお、ステップＳ５４でアダプタの取り付けが検知されないとき、またはステップＳ５６で機器がアダプタの貫通孔に挿入されていることが確認されないときは直ちにステップＳ６２に移行する。これによって、アダプタの取り付けおよび機器のアダプタ挿入がともに確認されない限り、電磁誘導のための給電電流供給が禁止される。
【００６４】
ステップＳ６２では、ＮＦＣ通信または短距離通信による通信中か否かチェックし、通信中である限りステップＳ６２を繰り返す。ステップＳ６２で通信中でないことが確認されるとステップＳ６４に移行する。なお、ステップＳ４４でＮＦＣ圏内に機器がないとき（すなわち、機器がアダプタに挿入されていないとき、またはアダプタを取り付けない充電／データ転送ステーション２０４に機器が載置されていないとき）は、直ちにステップＳ６４に移行する。ステップＳ６４では、パソコン６に電源が供給中であるか否かチェックする。電源供給中であれば、ステップＳ４４に戻り、以下ステップＳ６４で電源供給がなくなることが確認されない限り、ステップＳ４４からステップＳ６４を繰り返し、アダプタの新たな取り付け、機器の新たなアダプタへの挿入、またはアダプタを取り付けない機器が充電／データ転送ステーション２０４への機器の載置に対応すべく待機する。一方、ステップＳ６４で電源供給がなくなることが確認されるとフローを終了する。
【実施例４】
【００６５】
図１３は、本発明の実施の形態に係る充電システムにおける実施例４の充電／データ転送ステーション３０４、デジタルカメラ３０２およびデジタルカメラ３０２専用のアダプタ３５４の斜視図である。図１３（Ａ）は、充電／データ転送ステーション３０４からアダプタ３５４が取り外されている状態を示し、図１３（Ｂ）は、充電／データ転送ステーション３０４にアダプタ３５４を取り付けるとともにデジタルカメラ３０２を挿入した状態を示す。
【００６６】
図面から明らかなように、図１３の実施例４も、図９の実施例３と同様アダプタを有するものである。しかしながら、図９の実施例３においてアダプタがデジタルカメラ挿入部の前後左右の側面をなし充電／データ転送ステーションがデジタルカメラ挿入部の底面を成していたのに対し、図１３の実施例４では、充電／データ転送ステーション３０４がデジタルカメラ挿入部の一側面をなし、アダプタ３５４の切り欠き孔３５４ａがデジタルカメラ挿入部の他の側面および底面を成す。また図９の実施例３においてはデジタルカメラＮＦＣアンテナ２２４が挿入方向底面に設けられていたのに対し、図１３の実施例４では、デジタルカメラＮＦＣアンテナ３２４がデジタルカメラの正面（または背面）に設けられている。
【００６７】
その他の点においては、図１３の実施例４は図９の実施例３と同様である。そして、異種のデジタルカメラ毎に専用のアダプタを交換可能にそれぞれ用意し、このアダプタによって、いずれのデジタルカメラでも、そのデジタルカメラＮＦＣアンテナ３２４等が常に固定式ＮＦＣアンテナ／ＩＣ３２８に対応する位置に来るよう誘導されることも同様である。また、アダプタ３５４が透明であり、挿入部に電磁誘導を妨げる異物が入っていないか確認できること、さらに、万一異物が入っても容易にこれを掃き出すことができることについても同様である。但し、図１３の実施例４の場合は、一つの側面を欠く切り欠き孔３５４ａが形成されている。
【００６８】
なお、図１３の実施例４では、挿入方向の底面の幅が広い場合、切り欠き孔３５４ａの幅も広くなるので、ＩＣカードが誤って挿入される可能性が生じる。そして実施例４においてＩＣカードが誤挿入された場合、ＩＣカードＮＦＣアンテナのアンテナコイルと充電／データ転送ステーションの固定式ＮＦＣアンテナ／ＩＣのアンテナコイルが平行な状態で近接する可能性も生じる。
【００６９】
図１４は、このようなＩＣカード幅よりも広い切り欠き孔３５４ａを有するアダプタに関する側断面図であり、誤挿入の際にＩＣカードＮＦＣアンテナのアンテナコイルと充電／データ転送ステーションの固定式ＮＦＣアンテナ／ＩＣのアンテナコイルが平行な状態で近接するのを防止する構造を示す。図１３と同じ部分には同じ番号を付して説明を省略する。図１４から明らかなように、ＩＣカード１０がご挿入される可能性のあるアダプタ３５４の場合、切り欠き孔３５４ａの底面が傾斜させられる。
【００７０】
図１４（Ａ）は正規のデジタルカメラ３０２が挿入された場合であり、デジタルカメラＮＦＣアンテナ３２４が固定式ＮＦＣアンテナ／ＩＣ３２８に対応する位置に近接して誘導される。正規のデジタルカメラ３０２が挿入された場合、その厚みは切り欠き孔３５４ａに一致しているので、切り欠き孔３５４ａの底面が傾斜していても、所定位置より下方に入り込むことはない。これに対し、図１４（Ｂ）は、ＩＣカード１０がご挿入された場合を示す。ＩＣカード１０は薄いので、切り欠き孔３５４ａの底面の傾斜に沿って下方に滑り、ＩＣカードＮＦＣアンテナ４６が充電／データ転送ステーションの固定式ＮＦＣアンテナ／ＩＣ３２８から離間させられるとともに、アンテナコイルの平行性も崩れている。これにより強い電磁誘導が生じるのが防止される。
【実施例５】
【００７１】
図１５は、本発明の実施の形態に係る充電システムにおける実施例５の充電／データ転送ステーション４０４、デジタルカメラ４０２、デジタルカメラ４０２専用のアダプタ４５４およびＩＣカード１０の斜視図である。図１５（Ａ）は、充電／データ転送ステーション４０４からアダプタ４５４が取り外されている状態を示し、図１５（Ｂ）は、充電／データ転送ステーション４０４にアダプタ４５４を取り付けるとともにデジタルカメラ４０２を挿入した状態を示す。また、図１５（Ｃ）は、誤挿入の可能性のあるＩＣカードである。
【００７２】
図面から明らかなように、図１５の実施例５も、図１３の実施例４と同様切り欠き孔４５４ａを有するアダプタ４５４を有するものである。しかしながら、図１３の実施例４においてはデジタルカメラＮＦＣアンテナ３２４がデジタルカメラの正面（または背面）に設けられていたのに対し、図１５の実施例５では、デジタルカメラＮＦＣアンテナ４２４がデジタルカメラ５０２の挿入方向側面に設けられている。また、アダプタ４５４は充電／データ転送ステーション４０４の幅より狭いので切り欠き孔４５４ａの位置の基準となる基準マーク４３９が設けられており、図１５（Ｂ）に明らかなように、アダプタ４５４は基準マーク４３９に合わせて取り付けられる。
【００７３】
その他の点においては、図１５の実施例５は図１３の実施例４と同様である。そして、異種のデジタルカメラ毎に専用のアダプタを交換可能にそれぞれ用意し、このアダプタを基準マーク４３９に合わせて充電／データ転送ステーション４０４に取り付けることによって、いずれのデジタルカメラでも、そのデジタルカメラＮＦＣアンテナ４２４等が常に固定式ＮＦＣアンテナ／ＩＣ４２８に対応する位置に来るよう誘導されることも同様である。また、アダプタ４５４が透明であり、挿入部に電磁誘導を妨げる異物が入っていないか確認できること、さらに、万一異物が入っても容易にこれを取り除くことができることについても同様である。
【００７４】
なお、図１５の実施例５では、デジタルカメラＮＦＣアンテナ４２４がデジタルカメラの挿入方向側面に設けられているため、万一図１５（Ｃ）のようなＩＣカードがデジタルカメラ４０２と同じ方向で挿入されたとしても、ＩＣカード１０のカードＮＦＣアンテナのアンテナコイルの向きが、充電／データ転送ステーション４０４の固定式ＮＦＣアンテナ／ＩＣ４２８のアンテナコイルと平行とはならず、強い電磁誘導が生じない。
【００７５】
以上説明した本発明の種々の特徴は、上記の実施例による実施に限るものではなく、他の実施形態が可能である。また、その利点を活用するため、適宜組み合わせ交換することができる。例えば、図２に示した実施例１のストッパー５４の位置決め機能は、ストッパー５４を設けず、充電面４ａの左上角部にデジタルカメラ２の底面の左上角部を一致させ両者の側面が面一になるよう載置することでも代替できる。
【００７６】
また、図９の実施例３では充電／データ転送ステーション２０４とアダプタ２５４の前後左右側面を同一形状とし、両者の前後左右側面が全て面一となるように両者を結合することで両者の位置決めを行っている。これに代えて、充電／データ転送ステーション２０４にアダプタ２５４を箱の蓋のように被せて嵌め込む構造とし、アダプタ２５４の下面に設けた凹部の形状が充電／データ転送ステーション２０４の上面と同一形状とすることで両者の位置決めを行うこともできる。
【実施例６】
【００７７】
図１６は、本発明の実施の形態に係る充電システムにおける実施例６における充電／データ転送ステーション２０４及びデジタルカメラ５０２の上面図であり、水平に置かれた充電／データ転送ステーション２０４の上面にデジタルカメラ５０２が載置され、手５０１にて水平にスライドさせられる様子を示す。
【００７８】
実施例６の充電／データ転送ステーション２０４は、図８の実施例３と同様にして固定式ＮＦＣアンテナ／ＩＣ２２８を採用している。しかしながら、実施例１から実施例５におけるような機械的な位置決め手段を持たず、これに変えて、デジタルカメラ５０２は以下に説明する位置決めのための充電ナビゲーション手段を有する。図１６は、実施例６における位置決めのための充電ナビゲーションを説明するためのもので、図１６（Ａ）は、デジタルカメラ５０２のデジタルカメラＮＦＣアンテナ５２４が充電／データ転送ステーション２０４の固定式ＮＦＣアンテナ２２８に一致していない状態であり、両者を一致させるためにデジタルカメラ５０２をスライドさせるべき方向のナビゲーション表示が行われている様子を示す。一方、図１６（Ｂ）は、ナビゲーション表示に従って手５０１でデジタルカメラ５０２をスライドさせた結果、両者が一致するに至った状態を示す。
【００７９】
図１６（Ａ）について詳細に説明すると、デジタルカメラ５０２はカラー表示機能を持つカメラ表示部５６８を有しており、この表示部５６８の一部であって手５０１で覆われる可能性の少ない中央部分５６８ａに、デジタルカメラ５０２をスライドさせるべき方向を示すナビゲーション矢印５６８ｂが表示されている。このナビゲーション矢印５６８ｂは方向だけでなくその長さが正しい位置との乖離情報となっており、正しい位置に近づくほど矢印の長さが短くなる。なお、図１６から明らかなように、カメラ表示部５６８は充電／データ転送ステーション２０４の上面に水平であり、表示されたナビゲーション矢印５６８ｂの方向に直感的にデジタルカメラ５０２をスライドさせることができる。
【００８０】
実施例６におけるようなナビゲーション機能は、充電池が充電不足判定状態となってデジタルカメラ５０２の通常の操作が禁止された状態であっても、充電池の残存エネルギーにより可能となる。逆に言えば、充電ナビゲーションを実行するエネルギーの余力を残して充電不足との判定が行われる。また、上記のように限りある残存エネルギーをできるだけ浪費せずに充電ナビゲーションを実行するため、ナビゲーション矢印５６８の表示は表示部５６８の一部領域である中央部分５６８ａのみ利用し、これを単色で駆動することによって行われる。さらに、表示のバックライトも必要最低限の明るさに抑えられる。
【００８１】
また、ナビゲーション表示の方向は、デジタルカメラ５０２の動きを検知すると共に、この動きに伴う充電／データ転送ステーション２０４からの電磁場の強さ変化を分析することによってトライアル・アンド・エラーにて行われるが、これらの機能についても、デジタルカメラ５０２の基準クロック周波数を必要最低限に落とし、充電池の残存エネルギーをできるだけ消費しないようにした充電ナビモードにて行われる。
【００８２】
図１６（Ｂ）は、図１６（Ａ）で表示されるナビゲーション矢印５６８の方向に手５０１でデジタルカメラ５０２をスライドさせた結果、デジタルカメラ５０２のデジタルカメラＮＦＣアンテナ５２４が充電／データ転送ステーション２０４の固定式ＮＦＣアンテナ２２８に一致するに至った状態を示す。この状態も、トライアル・アンド・エラーにより何度か図１６（Ｂ）の状態の周囲を行き来してデジタルカメラ５０２を動かし、充電／データ転送ステーション２０４からの電磁場の強さが最大になる位置を求めることによって達成される。そして、変デジタルカメラ５０２が図１６（Ｂ）の位置に来たとき、中央部分５６８ａに「ＯＫ」表示５６８ｃがなされるので、使用者はデジタルカメラ５０２が充電／データ転送ステーション２０４に正しく位置決めされたことを知ることができる。そして、が図１６（Ｂ）の位置でデジタルカメラ５０２を静止させるとナビ機能が停止し、デジタルカメラＮＦＣアンテナ５２４と固定式ＮＦＣアンテナ２２８による充電が開始される。
【００８３】
図１７は、図１６の実施例６の全体構成を示すブロック図である。図１６と同じ部分には同じ番号を付して必要のない限り、説明を省略する。また、実施例６のブロック図は、図８における実施例３のブロック図と共通するところが多いので、対応する部分には同じ番号を付し、必要のない限り説明を省略する。図１６に示す実施例６のブロック図が実施例３における図８のブロック図と異なるのは、図１６で説明したようにＮＦＣアンテナによる充電およびデータ転送のためにデジタルカメラ５０２を充電／データ転送ステーション２０４上で位置決めする構成である。
【００８４】
具体的には、図１７の実施例６におけるデジタルカメラ５０２は、ジャイロセンサ５６４、電磁場センサ５６６およびカメラ表示部５６８を有している。そして、図１６で説明したように、トライアル・アンド・エラーにて充電／データ転送ステーション２０４上で動かされるデジタルカメラ５０２の動きをジャイロセンサ５６４で検知しながら電磁場センサ５６６で固定式ＮＦＣアンテナ２２８の電磁場の強さの変化を検知し、電磁場がより強くなるようにデジタルカメラ５０２を動かすべき方向を図１６（Ａ）のようにカメラ表示部５６８にて表示する。さらに、このような充電ナビゲーションに従ってデジタルカメラ５０２を動かした結果として電磁場が最も強くなったとき、図１６（Ｂ）のようにカメラ表示部５６８にてこれを表示する。
【００８５】
図１６で説明したように、実施例６におけるナビゲーション機能は、充電不足状態となってデジタルカメラ５０２の通常の操作が禁止された状態において充電池２０の残存エネルギーにより行う。従って、上記のように、ナビゲーション表示は表示部５６８の一部のみを単色駆動することによって行われるとともに、バックライト部５７０の駆動デューティを必要最低限に低下させる。また、ジャイロセンサ５６４、電磁場センサ５６６、カメラ表示部５６８制御するとともにナビゲーション分析を行うカメラ制御部５１２の消費電力を抑えるため、基準クロック５７２の周波数を充電ナビモードに落とす。
【００８６】
上記の充電ナビゲーションは、後述のように自動的にトリガがかかるよう種々の手段が設けられているが、操作部５７４を操作することによっても可能である。充電不足状態では操作部５７４によるデジタルカメラ５０２の通常操作は一切禁止されているが、充電ナビのトリガのための操作だけは可能となっている。充電ナビの機能はカメラ記憶部５１６に記憶されたプログラムを実行するカメラ制御部５１２によって行われるが詳細は後述する。なお、デジタルカメラ５０２は携帯電話機能部５７６を備えており、全体としてスマートフォン等のようなカメラつき携帯電話として機能する。
【００８７】
図１８は、上記実施例６におけるカメラ制御部５１２の動作を説明する基本フローチャートである。なお、デジタルカメラ５０２は種々の機能を実行するが、図１８のフローは充電／データ転送ステーション２０４に載置して充電を行う機能を中心に動作を抽出したものである。従って、実際のデジタルカメラ５０２のフローは図示されていない種々の機能を達成する。図１８のフローは、デジタルカメラ５０２の総サブ５７４の操作によって電源が投入されることによりスタートし、まずステップＳ７２でデジタルカメラ５０２が充電不足状態にあるか否かがチェックされる。
【００８８】
充電不足でなければステップＳ７４に移行し、デジタルカメラの立上げ処理を行ってステップＳ７６に移行する。ステップＳ７６では前回の操作（この場合は電源の投入）から所定時間が経過したか否かをチェックするもので、所定時間が経過していなければステップＳ８０に移行して通常操作の有無を検知する。そして、操作の検知がなければステップＳ７６に戻る。一方、ステップＳ７６で所定時間の経過が検知されるとステップＳ８０に移行し、基準クロック５７２の周波数を落とした省電力モードとしてステップＳ７８に移行する。なお、上記の充電ナビモードにおける基準クロック５７２の周波数は、この省電力モードにおける周波数よりもさらに低いものである。以下、ステップＳ７８で通常操作が検知されるまで通常モードまたは省電力モードにて、ステップＳ７６からステップＳ８０を繰り返す。なお、元々省電力モードでステップＳ８０に至ったときは何もしない。
【００８９】
ステップＳ７８で通常操作が検知されるとステップＳ８２に進み、この時点で充電不足状態にあるか否かがチェックされる。充電不足でなければステップＳ８４に進み、基準クロック５７２の周波数を高めた通常モードとする。なお、元々通常モードであればステップＳ８４では何もしない。そして、ステップＳ８６にて操作に基づく機能を実行し、機能実行が完了するとステップＳ８８に移行する。ステップＳ８８では電源オフ操作の有無をチェックし、電源オフでなければステップＳ７６に戻る。以下、ステップＳ８２で充電不足が検知されず、かつステップＳ８８で電源オフが検知されない限りステップＳ７６からステップＳ８８が繰り返され、デジタルカメラ５０２の通常機能が実行される。
【００９０】
一方、ステップＳ８２で充電不足が検知されたときはステップＳ９０に移行する。また、ステップＳ７２の段階で充電不足が検知されたときは、立上げ処理を行うことなく直ちにステップＳ９０に移行する。ステップＳ９０では、充電を要する旨の表示が行われると共にステップＳ９２に進んで通常操作を一切禁止し、ステップＳ９４の休止モードに移行する。休止モードは基本的にはデジタルカメラ５０２が動作していない状態であるが、以下のとおり充電開始のトリガをかけるのに必要な最低限の動作だけは維持される。
【００９１】
具体的には、ステップＳ９６に進んで、充電ナビ用の間欠モニタを起動する。間欠モニタは休止中において所定時間毎に充電ナビのトリガがかかっていないかモニタする機能である。間欠モニタ実行タイミング以外ではデジタルカメラ５０２は動作を停止しており、間欠モニタにおいてトリガが検知されなければ、次の間欠モニタタイミングまでデジタルカメラ５０２は動作を停止する。ステップＳ９８は自動トリガタイミングが到来していないか否かのチェックを行うためのものである。自動トリガタイミングは、結果的にトリガ検知がなかった間欠モニタを順次カウントし、カウント値が所定回数に達すると自動的にトリガをかけるもので、後述のトリガの万一の不備を補完するものである。
【００９２】
自動トリガタイミングでなければステップＳ１００に進み、間欠モニタの際に操作部５７４による手動の充電操作を検知したか否かをチェックする。充電操作が検知されなければステップＳ１０２に進み、間欠モニタの際にジャイロセンサ５６４による重力加速度検知によってデジタルカメラ５０２が水平状態にあるか否か（充電／データ転送ステーション２０４に載置された可能性があるか否か）を検知する。水平検知がなければステップＳ１０４に進み、間欠モニタの際に電磁場センサ５６６により電磁場を検知したか否か（充電／データ転送ステーション２０４に載置された可能性があるか否か）を検知する。電磁場の検知がなければステップＳ９８に戻り、以下、間欠モニタの際にトリガ原因が検知されないかぎりステップＳ９８からステップＳ１０４を繰り返す。
【００９３】
一方、ステップＳ９８からステップＳ１０４のいずれかにおいてトリガ原因が検知されたときは直ちにステップＳ１０６に移行し、充電ナビおよび充電処理に入る。この処理の詳細は後述する。そして、充電ナビおよび充電処理が完了するとステップＳ８８に移行する。ステップＳ８８で電源オフが検知されなければ通常モードの場合と同様ステップＳ７６に移行する。このようにして、ステップＳ８８で電源オフが検知されない限り、ステップＳ７２からステップＳ１０６の基本フローが繰り返される。一方、ステップＳ８８で電源オフが検知されるとフローを終了する。
【００９４】
図１９は、図１８のステップＳ１０６における充電ナビおよび充電処理の詳細を示すフローチャートである。フローがスタートすると、ステップＳ１１２で充電ナビモードが設定される。上記のように、充電ナビモードにおける基準クロック５７２の周波数は、省電力モードにおける周波数よりもさらに低く、充電ナビに必要な処理および早さを達成するのに必要最低限の電力消費に設定される。次いで、ステップＳ１１４で、充電ナビ用の電磁場センサ５６６による充電ナビ用電磁場検知を起動する。この電磁場検知機能は、ステップＳ１０４において実行される電磁場の単なる有無の検知よりも高機能のものである。次いでステップＳ１１６においてジャイロセンサ５６４による充電ナビ用のジャイロ検知を起動する。このジャイロ検知機能は、デジタルカメラ５０２の水平方向移動検知（二次元検知）に条件を単純化して分析効率を高めたものである。
【００９５】
次いでステップＳ１１８においてジャイロセンサ５６４により水平化速度が検知されたか否かチェックする。水平化速度が検知された場合はステップＳ１２０にて水平移動に伴う電磁場電変化が電磁場センサ５６６によって検知されたか否かチェックする。ステップＳ１１８で水平化速度が検知されない場合（例えばデジタルカメラ５０２が単に机の上でスライドさせられた場合）はステップＳ１２２に移行し、充電ナビ用電磁場検知および充電ナビ用ジャイロ検知を停止して図１８のステップＳ９４に移行する。この場合は、ステップＳ９４で休止モードに戻り、間欠モニタにより再度トリガ条件の成立をモニタする。
【００９６】
一方、ステップＳ１２０でデジタルカメラ５０２の水平移動に伴う電磁場変化が検知されたときは、使用者による充電のための位置決め動作が行われていると判断し、ステップＳ１２４に移行する。そしてステップＳ１２４で、カメラ表示部５６８をナビ表示のための部分単色駆動モードに設定し、低電力消費の表示状態とする。さらに、ステップＳ１２６においてバックライト部５７０の点灯デューティーを低下させ、低電力消費の表示照明状態とする。
【００９７】
次いで、ステップＳ１２８においてジャイロセンサ５６４と電磁場センサ５６６の出力を充電ナビモードのクロック周波数に基づく動作速度にて継続検知し、記憶蓄積する。そしてステップＳ１３０で記憶蓄積情報の変化履歴から電磁場変化と加速度方向との相関関係を分析する。この分析結果に基づき、ステップＳ１３２では、電磁場が強くなる水平移動方向が判定できたか否かチェックする。そして、移動させるべき方向を判定する分析が可能となったときはステップＳ１３４に進み、周知の山登り方式にて現在の電磁場が最強であるか否かの判定を行う。
【００９８】
ステップＳ１３４において電磁場が最強であるとの判定ができないときはステップＳ１３６に進み、ステップＳ１３２で判定できた電磁場が強くなる水平移動方向をカメラ表示部５６８で表示してステップＳ１２８に戻る。一方、ステップＳ１３２において移動方向の判定を行うに充分なデジタルカメラ５０２の移動が行われず記憶蓄積情報が足りない場合もステップＳ１２８に戻り、トライアル・アンド・エラーによる情報蓄積が継続される。このようにしてステップＳ１３４において電磁場が最強であるとの判定が行われない限り、ステップＳ１３６の表示を参考にしたトライアル・アンド・エラーによるデジタルカメラ５０２のスライドが続けられる。この状態が、図１６（Ａ）に該当する。
【００９９】
一方、ステップＳ１３４において電磁場が最強であるとの判定ができたときは、ステップＳ１３８に移行し、ステップＳ１３８で位置決めが成功した旨の「ＯＫ」表示を行う。この状態が図１６（Ｂ）に該当する。そしてステップＳ１４０にて電磁場検知を停止するとともにステップＳ１４２においてジャイロセンサによる水平移動検知を停止し、ステップＳ１４４の充電処理に移行する。そして充電が完了するか中断された場合はステップＳ１４６を経て図１８のステップＳ７４に移行する。これにより、ステップＳ８２で充電不足でなければデジタルカメラ５０２は通常動作に復帰し、充電の中断により万一ステップＳ８２で充電不足と判定されれば再びステップＳ９０からの充電フローに入ることができる。
【０１００】
以上説明した本発明の種々の特徴は、上記の実施例による実施に限るものではなく、他の実施形態が可能である。また、その利点を活用するため、適宜組み合わせ交換することができる。例えば、各実施例はデジタルカメラとして説明されているが、図１６から図１９における実施例６のようにスマートフォン等のようなカメラつき携帯電話として実施することができる。また、実施例６に示した充電ナビ機能において位置決めの表示を行うための上方源は実施例６のようにデジタルカメラ５０２内に備えるものに限らず、位置決めのセンサを充電／データ転送ステーション２０４側に設け、判定についても充電／データ転送ステーション２０４側に任せて、結論としての案内情報のみを充電／データ転送ステーション２０４からデジタルカメラ５０２に伝達して表示するようにしてもよい。この場合もデジタルカメラ５０２における省電力の案内表示の特徴を活用できる。
【０１０１】
また、図１６から図１９における実施例６では、位置決めの案内のために視覚的表示を行うよう構成しているが、案内手段は視覚的なものに限らず、聴覚による案内を行うよう構成することもできる。音による案内としては、音声言語による方向案内や、電磁場が強くなるほどブザー音を大きくする案内、または電磁場が強くなるほどブザーの断続周期を短くする等、図１６（Ａ）において矢印の長さが持っていた情報を聴覚により伝える構成が可能である。また、携帯電話５０２をスライドさせる５０１にバイブの振動を伝え、電磁場が強くなるほど振動を強くするなどの触覚的な案内も可能である。これらの視覚的、聴覚的、触覚的案内は、複数のものを適宜組み合わせてもよい。なお、単に電磁場の強さのみを案内によってフィードバックし、方向については、トライアル・アンド・エラーによる使用者自身の学習によるよう構成する場合は、携帯電話５０２の移動方向の検知を省略してもよい。
【０１０２】
なお、図１６から図１９における実施例６および上記の変形実施に示した構成は、充電の際における位置決めだけでなく、必要に応じ、ＮＦＣによる通信をより効率的に行うための位置決めにも応用できる。
【産業上の利用可能性】
【０１０３】
本発明は、ＮＦＣ充電可能なモバイル機器に適用することができる。
【符号の説明】
【０１０４】
５２４  通信用ＮＦＣアンテナ
２０  充電池
５６８  案内表示部
５６８ａ  表示手段による表示面の一部領域
５７０  バックライト部
５７２  基準クロック
５６６  電磁場検知手段
５６４  移動検知手段
【図１】
0006752597.tif 000002
【図２】
0006752597.tif 000003
【図３】
0006752597.tif 000004
【図４】
0006752597.tif 000005
【図５】
0006752597.tif 000006
【図６】
0006752597.tif 000007
【図７】
0006752597.tif 000008
【図８】
0006752597.tif 000009
【図９】
0006752597.tif 000010
【図１０】
0006752597.tif 000011
【図１１】
0006752597.tif 000012
【図１２】
0006752597.tif 000013
【図１３】
0006752597.tif 000014
【図１４】
0006752597.tif 000015
【図１５】
0006752597.tif 000016
【図１６】
0006752597.tif 000017
【図１７】
0006752597.tif 000018
【図１８】
0006752597.tif 000019
【図１９】
0006752597.tif 000020